(57)【要約】【課題】使用可能なユーザ認証手段を優先的にユーザに提供する情報処理装置を提供することを目的とする。【解決手段】複数の認証方法による認証が可能な情報処理装置であって、互いに異なる情報に基づいてユーザ認証を行う複数の認証手段と、情報処理装置の使用状態及び使用環境の少なくとも何れか一方を検出する検出手段と、前記検出手段の検出結果を用いて使用可能な前記認証手段を選定する選定手段と、前記選定手段によって選定された少なくとも一つの前記認証手段をユーザに報知する報知手段とを備える。【選択図】図７
2018190354.tif 000002
【特許請求の範囲】
【請求項１】
互いに異なる情報に基づいてユーザ認証を行う複数の認証手段と、
情報処理装置の使用状態及び使用環境の少なくとも何れか一方を検出する検出手段と、
前記検出手段の検出結果を用いて使用可能な前記認証手段を選定する選定手段と、
前記選定手段によって選定された少なくとも一つの前記認証手段をユーザに報知する報知手段と、
を備える情報処理装置。
【請求項２】
前記選定手段によって選定された前記認証手段の中からいずれか一つを決定する決定手段と、
前記報知手段は、前記決定手段によって決定された前記認証手段を前記ユーザに報知する請求項１に記載の情報処理装置。
【請求項３】
撮像手段と、
使用可能な前記認証手段を前記情報処理装置の傾き角度に対して規定した使用可能認証情報を格納する記憶手段と、
を備え、
前記検出手段は、前記情報処理装置の傾き角度を検出し、
前記選定手段は、前記検出手段によって検出された前記角度と前記使用可能認証情報とを用いて使用可能な前記認証手段を選定する請求項１または請求項２に記載の情報処理装置。
【請求項４】
前記情報処理装置の使用モード毎に使用可能な前記認証手段が登録された使用可能認証情報を格納する記憶手段を備え、
前記検出手段は、前記情報処理装置の使用状態として前記情報処理装置の前記使用モードを検出し、
前記選定手段は、前記検出手段によって検出された前記情報処理装置の前記使用モードと前記使用可能認証情報とを用いて使用可能な前記認証手段を選定する請求項１または請求項２に記載の情報処理装置。
【請求項５】
前記情報処理装置の使用環境パターン毎に使用可能な前記認証手段が登録された使用可能認証情報を格納する記憶手段を備え、
前記検出手段は、前記情報処理装置の使用環境として前記情報処理装置の前記使用環境パターンを検出し、
前記選定手段は、前記検出手段によって検出された前記情報処理装置の前記使用環境パターンと前記使用可能認証情報とを用いて使用可能な前記認証手段を選定する請求項１または請求項２に記載の情報処理装置。
【請求項６】
前記使用環境パターンは、前記情報処理装置の使用環境を少なくとも一つのパラメータの条件を用いて規定したものである請求項５に記載の情報処理装置。
【請求項７】
前記使用可能認証情報には、前記情報処理装置の周囲の照度条件と使用可能な前記認証手段とが登録され、
前記検出手段は、前記情報処理装置の使用環境として前記情報処理装置の周囲の照度を検出し、
前記選定手段は、前記検出手段によって検出された前記情報処理装置の周囲の照度と、前記使用可能認証情報とを用いて使用可能な前記認証手段を選定する請求項５に記載の情報処理装置。
【請求項８】
前記使用可能認証情報には、使用可能な前記認証手段に対応付けて優先順位が設定されており、
前記決定手段は、前記選定手段によって選定された前記認証手段の中から、前記優先順位に基づいて、１つの前記認証手段を決定する請求項２に従属する請求項３から７のいずれか１項に記載の情報処理装置。
【請求項９】
前記優先順位は、それぞれの前記認証手段におけるセキュリティ性の高さに応じて設定されている請求項８に記載の情報処理装置。
【請求項１０】
互いに異なる情報に基づいてユーザ認証を行う複数の認証工程と、
情報処理装置の使用状態及び使用環境の少なくとも何れか一方を検出する検出工程と、
前記検出工程の検出結果を用いて使用可能な前記認証工程を選定する選定工程と、
前記選定工程によって選定された少なくとも一つの前記認証工程をユーザに報知する報知工程と、
を備える認証手段決定方法。
【請求項１１】
互いに異なる情報に基づいてユーザ認証を行う複数の認証処理と、
情報処理装置の使用状態及び使用環境の少なくとも何れか一方を検出する検出処理と、
前記検出処理の検出結果を用いて使用可能な前記認証処理を選定する選定処理と、
前記選定処理によって選定された少なくとも一つの前記認証処理をユーザに報知する報知処理と、
をコンピュータに実行させるための認証手段決定プログラム。
【発明の詳細な説明】
【技術分野】
【０００１】
本発明は、情報処理装置、認証手段決定方法及び認証手段決定プログラムに関するものである。
【背景技術】
【０００２】
スマートフォンやタブレット端末といった携帯型情報処理端末の普及に伴い、情報セキュリティの観点から、さまざまな種類のユーザ認証手段が情報処理装置に搭載されている。ユーザ認証手段としては、例えば、情報処理装置に設けられた近赤外線（ＩＲ）イメージング用のカメラを用いた顔認証、指紋リーダ等を用いた指紋認証、キー入力によるパスワード認証等が挙げられる。情報処理装置では、これらの認証方法を用いて、情報処理装置を操作するユーザの識別を行う（特許文献１参照）。
【先行技術文献】
【特許文献】
【０００３】
【特許文献１】特開２０１３−１７４９５５号公報
【発明の概要】
【発明が解決しようとする課題】
【０００４】
しかしながら、例えば顔認証においては、情報処理装置に設けられたカメラによりユーザの顔を認識するため、カメラの画角外にユーザの顔がある場合には、顔認証を行うことができない。このように、各認証方法には、正常に認証を行うための情報処理装置の使用状態や使用環境に基づく条件がある。このため、条件を満たさないユーザ認証手段がユーザに提示された場合には、ユーザは認証を行うことができない。
【０００５】
また、例えば、２ｉｎ１パーソナルコンピュータ（以下「２ｉｎ１ＰＣ」という。）等の複数の使用モードを備えた情報処理装置に複数のユーザ認証手段が搭載されている場合には、使用モードに応じて特定のユーザ認証手段が正常に動作できない状態となる可能性がある。具体的には、図３に示すスタイラスモードように情報処理装置を使用している場合には、カメラの撮影方向が略真上方向となり、備えられたカメラのアングルではユーザの顔を撮影することができないため、顔認証を用いることができない。
【０００６】
さらに、ユーザに提示される認証方法の順番として、セキュリティ性が高いユーザ認証手段から優先順位が予め設定されている場合には、例えば、顔認証、指紋認証、パスワード認証の順にユーザに提示される。このため、たとえ顔認証が使用できないような情報処理装置の使用状態や使用環境であっても、ユーザに対して顔認証が提示されてしまう。この場合、ユーザは、顔認証モードからパスワード認証へ認証方法を切り替える必要があり、手間がかかっていた。
【０００７】
本発明は、このような事情に鑑みてなされたものであって、使用可能なユーザ認証手段を優先的にユーザに提供する情報処理装置、認証手段決定方法及び認証手段決定プログラムを提供することを目的とする。
【課題を解決するための手段】
【０００８】
上記課題を解決するために、本発明は以下の手段を採用する。
【０００９】
本発明の第一態様は、互いに異なる情報に基づいてユーザ認証を行う複数の認証手段と、情報処理装置の使用状態及び使用環境の少なくとも何れか一方を検出する検出手段と、前記検出手段の検出結果を用いて使用可能な前記認証手段を選定する選定手段と、前記選定手段によって選定された少なくとも一つの前記認証手段をユーザに報知する報知手段とを備える情報処理装置を提供する。
【００１０】
本発明の第二態様は、互いに異なる情報に基づいてユーザ認証を行う複数の認証工程と、情報処理装置の使用状態及び使用環境の少なくとも何れか一方を検出する検出工程と、前記検出工程の検出結果を用いて使用可能な前記認証工程を選定する選定工程と、前記選定工程によって選定された少なくとも一つの前記認証工程をユーザに報知する報知工程とを備える認証手段決定方法を提供する。
【００１１】
本発明の第三態様は、互いに異なる情報に基づいてユーザ認証を行う複数の認証処理と、情報処理装置の使用状態及び使用環境の少なくとも何れか一方を検出する検出処理と、前記検出処理の検出結果を用いて使用可能な前記認証処理を選定する選定処理と、前記選定処理によって選定された少なくとも一つの前記認証処理をユーザに報知する報知処理とをコンピュータに実行させるための認証手段決定プログラムを提供する。
【発明の効果】
【００１２】
本発明によれば、使用可能なユーザ認証手段を優先的にユーザに提供することができるという効果を奏する。
【図面の簡単な説明】
【００１３】
【図１】本発明の第１実施形態に係る概略外観図である。
【図２】本発明の第１実施形態に係る情報処理装置の顔認証について示した図である。
【図３】本発明の第１実施形態に係る情報処理装置の使用モードを示すブロック図である。
【図４】本発明の第１実施形態に係るハードウェア構成について示した図である。
【図５】本発明の第１実施形態に係る情報処理装置の概略構成を示すブロック図である。
【図６】本発明の第１実施形態に係る記憶部の概略構成を示すブロック図である。
【図７】本発明の第１実施形態に係るフローチャートである。
【図８】本発明の第１実施形態の変形例に係る記憶部の概略構成を示すブロック図である。
【図９】本発明の第２実施形態に係る記憶部の概略構成を示すブロック図である。
【発明を実施するための形態】
【００１４】
〔第１実施形態〕
以下に、本発明に係る情報処理装置１の第１実施形態について、図面を参照して説明する。図１は、本実施形態に係る情報処理装置１の概略外観図である。本実施形態では、情報処理装置１として、図３のような複数の使用モードを備えたＰＣを例示して説明する。
なお、情報処理装置１としては、図１のような複数の使用モードを備えたＰＣに限られず、例えば、表示部４が３６０度回転、スライド、分離等する他の形態を有する複数の使用モードを備えた情報処理端末や、ノート型ＰＣ、タブレット、スマートフォン等の所謂１台１役の情報処理端末等であってもよい。
使用モードとは、情報処理装置１を構成する互いに連結された各筐体のそれぞれの重力方向に対する傾き角度や向き、各筐体の他の筐体に対する角度、各筐体の他の筐体との連結状態等、又はそれらの組み合わせによって定まるものである。
【００１５】
情報処理装置１は、図１に示すように、一例として、略直方体である本体側筐体２及び支持筐体３を備える。
【００１６】
本体側筐体２は、画像を表示する表示部４を備える。本実施形態において、表示部４は、ＬＣＤ（Ｌｉｑｕｉｄ  Ｃｒｙｓｔａｌ  Ｄｉｓｐｌａｙ）を例示するが、ＬＣＤに限らず有機ＥＬ（Ｅｌｅｃｔｒｏｌｕｍｉｎｅｓｃｅｎｃｅ）ディスプレイ等の他の表示機器とされてもよい。ＬＣＤは、入力される表示データをビデオ信号に変換し、変換したビデオ信号に応じた各種情報を表示画面に表示する。
【００１７】
また、本体側筐体２は、入力部５を備える。入力部５は、ユーザが入力操作を行うためのユーザインターフェースである。本実施形態において、入力部５は、表示部４とともにタッチパネルを構成する場合について例示する。タッチパネルとしては、静電容量方式や抵抗膜方式などが挙げられる。タッチパネルでは、例えば、文字、コマンド等を入力する各種キーより構成されるキーボードがＬＣＤに表示され、表示されたキーボードの各キーに対応するタッチパネルの各領域に応じて、各種入力操作が実行される。
【００１８】
また、本体側筐体２は、カメラ６を備える。カメラ６は、例えば、本体側筐体２において表示部４の上方の略中央に配置され、前方の被写体を撮像可能とされている。本実施形態においては、カメラ６はユーザ認証方法に用いるものとして、ＩＲカメラを例示するが、３次元カメラやＩＲＩＳカメラ等でもよい。本実施形態においては、図２に示すように、カメラ６の画角内にユーザの顔が収まるようにして撮影を行うことでユーザ認証を行う。なお、カメラ６の設置位置は図１に記載の位置に限らない。また、他の認証方法が情報処理装置１に備えられている場合には、必ずしもカメラ６を設けなくてもよい。
【００１９】
支持筐体３は、本体側筐体２と連結され、本体側筐体２に対して３６０度回転可能とされる。本実施形態では、支持筐体３は本体側筐体２と連結されている場合について例示するが、分離やスライド等が可能とされてもよい。
【００２０】
本実施形態に係る情報処理装置１は、情報処理装置１は様々な使用状態及び使用環境にて使用され得る。例えば、情報処理装置１は複数の使用モードを備え、例えば、本体側筐体２に対して支持筐体３を回転させることによって、使用モードの切り替えが可能とされている。
【００２１】
図４は、本発明の第１実施形態に係る情報処理装置１のハードウェア構成を示す図である。情報処理装置１は、例えば、ＣＰＵ（Ｃｅｎｔｒａｌ  Ｐｒｏｃｅｓｓｉｎｇ  Ｕｎｉｔ）４１、メインメモリ４２、記憶部４３、表示部４、入力部５、通信部４４、カメラ６を備えている。これら各部は直接的にまたはバス４５を介して間接的に相互に接続されている。
【００２２】
ＣＰＵ４１は、例えば、バス４５を介して接続された記憶部４３に格納されたＯＳ（Ｏｐｅｒａｔｉｎｇ  Ｓｙｓｔｅｍ）により情報処理装置１全体の制御を行うとともに、記憶部４３に格納された各種プログラムを実行することにより各種処理、例えば、後述する認証手段決定処理を実行する。
【００２３】
メインメモリ４２は、キャッシュメモリ、ＲＡＭ（Ｒａｎｄｏｍ  Ａｃｃｅｓｓ  Ｍｅｍｏｒｙ）等の書き込み可能なメモリで構成される。メインメモリ４２は、ＣＰＵ４１の実行プログラムの読み出し、実行プログラムによる処理データの書き込み等を行う作業領域として利用される。
【００２４】
記憶部４３は、例えば、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリ等であり、例えば、Ｗｉｎｄｏｗｓ（登録商標）、ｉＯＳ（登録商標）、Ａｎｄｒｏｉｄ（登録商標）等の情報処理装置１の全体の制御を行うためのＯＳ、周辺機器類をハードウェア操作するための各種ドライバ、特定業務に向けられたアプリケーション、及び各種データやファイル等を格納する。また、記憶部４３には、後述する認証手段決定処理を実現するためのプログラムや、認証手段決定処理を実現するために必要とされる各種データが格納されている。
【００２５】
表示部４は、例えばＬＣＤであり、ＣＰＵ４１の制御に従って表示を行う。
【００２６】
入力部５は、例えば、タッチパネルであり、表示部４に表示されるキーボード等に対応するタッチパネルの領域に対して、ユーザが入力操作を行うのに使用される。
【００２７】
通信部４４は、ネットワークに接続して他の情報処理装置１と通信を行い情報の送受信を行うためのインターフェースである。
【００２８】
カメラ６は、例えば、ユーザからの入力操作に基づいてＣＰＵ４１によって制御される。本実施形態では、カメラ６から取得した画像データを用いて、ＣＰＵ４１にてユーザ認証が実行される。
【００２９】
図５は、情報処理装置１が備える機能の一例を示した機能ブロック図である。図５に示すように、情報処理装置１は、例えば、認証部５１、検出部５２、記憶部４３、選定部５４、決定部５５、報知部５６を主な構成として備えている。これら各部によって実現される後述の各種処理は、例えば、情報処理装置１のＣＰＵ４１が記憶部４３に記憶されている認証手段決定プログラムをメインメモリ４２に読み出して実行することにより実現される。メインメモリ４２又は記憶部４３に記憶されている認証手段決定プログラムは、例えば、所定のサーバからダウンロードして、または、所定の記録媒体からインストールされて保存されたプログラムでもよく、製造時に記憶部４３に格納されているプログラムでもよい。後述の情報処理装置１におけるモード選択に関する各種処理は認証手段決定プログラムの機能により実現される。
【００３０】
認証部５１は、ユーザの認証を行う。情報処理装置１は、互いに異なる情報に基づいてユーザ認証を行う認証部５１を複数備えている。本実施形態において、情報処理装置１は、ＩＲカメラにより取得した情報に基づいてユーザ認証を行う顔認証及びパスワード入力によってユーザ認証を行うパスワード認証の２種類のユーザ認証方法を備える場合について例示する。なお、３次元カメラ等を用いた顔認証、指紋リーダ等を用いた指紋認証、ＩＲＩＳカメラ他を用いた虹彩認証、声紋認証、静脈認証といった生体認証や、カード認証など他の認証方法が組み合わされてもよい。
【００３１】
検出部５２は、情報処理装置１の使用状態及び使用環境の少なくとも何れか一方を検出する。本実施形態においては、検出部５２は情報処理装置１の使用状態を検出する場合について説明する。情報処理装置１の使用状態とは、例示的には、情報処理装置１が使用されている向きや角度といった状態である。具体的には、検出部５２は、加速度センサを用いて情報処理装置１に設けられたカメラ６の設置面と重力方向に垂直な平面との間の角度を検出して、情報処理装置１の使用状態を推定する。なお、使用モードを検出する方法は、加速度センサを用いた場合に限られず、角度センサや地磁気センサ等を用いて情報処理装置１の使用状態を推定してもよい。
【００３２】
記憶部４３には、使用可能な認証方法を、所定の基準面に対する情報処理装置１の傾き角度に対して規定した使用可能認証情報が格納される。具体的には、情報処理装置１に設けられたカメラ６の設置面と重力方向に垂直な平面との間の角度範囲と、使用可能な認証方法とが対応付けられた使用可能認証情報が格納される。例えば、情報処理装置１に設けられたカメラ６には、カメラ６の設置面と重力方向に垂直な平面との間の角度（以下、単に「角度」という。）によって、ユーザの顔がカメラ６の画角に入らない角度範囲がある。例えば、角度が０度の場合には、カメラ６の撮影方向は略真上方向を向くため、ユーザの顔を撮影して認証することができない。本実施形態においては、使用可能認証情報は、図６に示すように、例えば２０度以上１１５度以下の角度範囲においては、使用可能な認証方法として、顔認証及びパスワード認証が登録され、これ以外の範囲においては、上述のようにカメラ６によって使用者の顔が撮影できないと予測されるため、パスワード認証が登録される。
【００３３】
選定部５４は、検出部５２の検出結果を用いて使用可能な認証方法を選定する。具体的には、検出部５２によって検出された角度と記憶部４３に格納された使用可能認証情報とを用いて使用可能な認証方法を選定する。本実施形態においては、検出部５２によって検出された角度が２０度以上１１５度以下の角度範囲内である場合には、対応する使用可能認証情報に記載されている顔認証及びパスワード認証を、使用可能な認証方法として選定する。また、検出部５２によって検出された角度が２０度以上１１５度以下の角度範囲外の場合には、対応する使用可能認証情報に記載されているパスワード認証を、使用可能な認証方法として選定する。
【００３４】
なお、情報処理装置１の使用状態として、カメラ６の撮影方向が略上方向を向く状態を検出する場合について説明するが、これに限られず、それぞれの認証方法に対して、使用不可能であると予測される情報処理装置１の使用状態に基づいて予め条件を設定し、各条件に応じて使用可能と予測される認証方法を使用可能認証情報として記憶部４３に格納しておくことで、選定部５４で使用可能な認証方法を選定することができる。
【００３５】
決定部５５は、選定部５４によって選定された認証部５１の中からいずれか一つを決定する。そして、１つに決定した認証方法を報知部５６へ出力する。本実施形態では、決定部５５では認証方法を１つ決定するが、報知部５６によってまとめて複数の認証方法をユーザに報知する場合には、選定部５４によって選定された使用可能な認証方法の中から複数の認証方法を決定してもよい。
【００３６】
また、記憶部４３に記憶される使用可能認証情報として、更に、使用可能な認証方法に対応付けて優先順位が設定されてもよい。この場合には、決定部５５は、選定部５４によって選定された認証方法の中から、優先順位に基づいて、１つの認証方法を決定することとする。
【００３７】
報知部５６は、決定部５５によって決定された認証方法をユーザに報知する。具体的には、決定部５５によって決定された使用可能な認証方法をユーザに対して提示して、決定された認証方法による認証の案内を行う。例えば、使用可能な認証方法を画面にメッセージとして表示するといった視覚的方法を用いてにユーザに報知してもよいし、使用可能な認証方法を音声による聴覚的方法を用いてユーザについて報知してもよいし、これらの組み合わせであってもよい。決定部５５によって、複数の使用可能な認証方法が決定された場合には、報知部５６は、ユーザに対して複数の認証方法をまとめて報知し、ユーザに認証方法を選択させてもよい。また、１つの使用可能な認証方法をユーザに報知した場合に、ユーザによって認証方法の切替操作が行われた場合には、報知部５６は、選定部５４によって選定された複数の使用可能な認証方法の内、既に提示した認証方法とは別の認証方法をユーザに提示することとしてもよい。
【００３８】
次に、本実施形態に係る情報処理装置１によって実行される認証手段決定方法について説明する。図７は、本実施形態に係る情報処理装置１によって行われる認証手段決定方法の手順を示すフローチャートである。図７に示した処理フローは、例えば、情報処理装置１に対して、スリープ状態が解除されたときや、情報処理装置１が起動したとき等に開始される。
【００３９】
情報処理装置１がスリープ状態となっており、ユーザによって情報処理装置１のスリープ状態が解除されると、検出部５２によって、情報処理装置１の使用状態として角度が検出される（Ｓ１０１）。
【００４０】
そして、検出部５２によって検出された角度に応じて、２０度以上１１５度以下の角度範囲内に対応する使用可能認証情報又は２０度以上１１５度以下の角度範囲外に対応する使用可能認証情報を用いて選択部により認証方法が選定される（Ｓ１０２）。
【００４１】
認証方法の選定が完了すると、決定部５５によってユーザに対して提示する認証方法が１つ決定される（Ｓ１０３）。
【００４２】
ユーザに対して提示する認証方法が１つ決定されると、決定された認証方法が報知部５６によってユーザに報知される（Ｓ１０４）。
【００４３】
ユーザは報知された認証方法によって、例えばログイン等の認証を行う。
【００４４】
以上説明してきたように、本実施形態に係る情報処理装置１、認証手段決定方法及び認証手段決定プログラムによれば、ユーザがログイン等の認証を行うときに、情報処理装置１の使用状態に応じて自動的に使用可能な認証方法が選択され報知されるため、使用できない認証方法がユーザに提示されるという不都合がなく、ユーザは効率的に認証を行うことが可能となる。
【００４５】
〔変形例〕
例えば、図３に示すスタイラスモードで情報処理装置１を使用する場合には、情報処理装置１に設けられたカメラ６の角度は２０度未満となるため、スタイラスモードにおいては、常にカメラ６の撮影方向は略真上を向き、ユーザの顔がカメラ６の画角に入らないことが予測される。
【００４６】
このため、本実施形態では情報処理装置１の使用状態として、情報処理装置１に設けられたカメラ６の設置面と重力方向に垂直な平面との間の角度を検出し、該角度に基づいて認証方法を選定したが、これに替えて、情報処理装置１の使用モードに基づいて使用可能な認証方法を選定することとしてもよい。具体的には、記憶部４３に、使用モード毎に使用可能な認証方法が登録された使用可能認証情報を格納する。この場合には、予め情報処理装置１の使用状態を、例えば図３のように、複数の使用モードに分けて設定しておき、使用モード毎に使用可能な認証方法を使用可能認証情報として記憶部４３に格納しておく。例えば、図８のように、使用モードをスタンドモードとスタイラスモードとに分け、それぞれのモードにおいて使用可能と予測される認証方法を使用可能認証情報として記憶する。
【００４７】
予め使用モード毎に使用可能な認証方法を使用可能認証情報として登録しておくため、検出部５２においては、情報処理装置１の使用状態として、情報処理装置１の使用モードを検出する。使用モードを検出するために、検出部５２では、加速度センサ等を用いて、情報処理装置１の向きや傾きを検出して情報処理装置１の使用モードを推定してもよいし、情報処理装置１に選択中の使用モードが既に記録されている場合には、この情報を読み出して使用モードを把握してもよい。
【００４８】
そして、選定部５４は、検出部５２によって検出された情報処理装置１の使用モードと使用可能認証情報とを用いて使用可能な認証方法を選定する。
【００４９】
使用可能認証情報として登録されている認証方法においては、それぞれ認証方法に応じて優先順位が設定されていてもよい。優先順位が設定されている場合には、決定部５５は優先順位に基づいて１つの認証方法を決定することとしてもよい。
【００５０】
また、使用可能認証情報として認証方法に基づいて設定される優先順位は、それぞれの認証方法のセキュリティ性の高さに応じて設定されてもよい。なお、優先順位は、セキュリティ性の高さに基づく順番に限られず、ユーザに予め設定されてもよいし、出荷前にメーカによって設定されてもよい。
【００５１】
このように使用可能認証情報に認証方法に応じて優先順位を設定することにより、例えば、ユーザが認証方法に係る順番を自由に設定でき、設定した順番に、自動的に使用可能な認証方法が選別され提示されるため、ユーザビリティの向上が期待できる。
また、優先順位がセキュリティ性の高さに応じて設定されている場合には、使用可能かつセキュリティ性の高い認証方法が優先的にユーザに提供されるため、認証セキュリティとユーザの利便性を両立できる。
【００５２】
〔第２実施形態〕
以下、本発明の第２実施形態に係る情報処理装置１について説明する。
第１実施形態と同一の構成については同一の符号を付すとともに説明を省略し、異なる点について主に説明する。
【００５３】
第１実施形態においては、検出部５２は情報処理装置１の使用状態を検出する場合について説明したが、第２実施形態においては、検出部５２は情報処理装置１の使用環境を検出する。具体的には、記憶部４３は、情報処理装置１の使用環境パターン毎に使用可能な認証方法が登録された使用可能認証情報を格納する。そして、検出部５２は、情報処理装置１の使用環境として情報処理装置１の使用環境パターンを検出する。選定部５４では、検出部５２によって検出された情報処理装置１の使用環境パターンと使用可能認証情報とを用いて使用可能な認証方法を選定する。
【００５４】
使用環境とは、情報処理装置１が使用されている周囲の環境である。例示的には、情報処理装置１が使用されている周囲の照度、温度、紫外線、騒音、電磁界、及び情報処理装置１に加わる振動等である。
使用環境パターンは、情報処理装置１の使用環境を少なくとも一つのパラメータの条件を用いて規定したものである。本実施形態においては、使用環境パターンのパラメータとして、照度を用い、パラメータの条件は、情報処理装置１に備えられたカメラ６によってユーザの顔が正常に撮影できる程度の照度レベルか否かとする。このため、本実施形態では、パラメータの各条件に対して２つの使用環境パターンを設けており、周囲の照度がユーザの顔が正常に撮影できる程度の照度レベルに達している使用環境パターンの場合には、正常に顔認証を行うことができ、ユーザの顔が正常に撮影できる程度の照度レベルに達していない使用環境パターンの場合には、顔認証を行うことができない。
【００５５】
記憶部４３には、上述した使用環境パターン毎に使用可能な認証方法が登録された使用可能認証情報が格納される。具体的には、周囲の照度がユーザの顔が正常に撮影できる程度の照度レベルに達している使用環境パターンでは顔認証とパスワード認証が使用可能な認証方法として登録される。また、周囲の照度がユーザの顔が正常に撮影できる程度の照度レベルに達していない使用環境パターンではパスワード認証が使用可能な認証方法として登録される。例えば、図９のように、ユーザの顔が正常に撮影できる程度の照度レベルをαとして、照度レベルαを基準にして、２つの使用環境パターンに対してそれぞれ使用可能認証情報を設定する。
【００５６】
そして、選定部５４においては、検出部５２によって検出された照度の値に該当する使用環境パターンの使用可能認証情報に基づいて、使用可能な認証方法が選定される。これにより、周囲の照度がユーザの顔が正常に撮影できる程度の照度レベルに達している場合に、顔認証とパスワード認証が選定され、周囲の照度がユーザの顔が正常に撮影できる程度の照度レベルに達していない場合に、パスワード認証が選定される。そして、これら選定部５４によって選定された使用可能な認証方法の少なくとも一つが決定部５５によって決定され、報知部５６によって報知される。
【００５７】
以上説明してきたように、本実施形態によれば、情報処理装置１の周囲が明るい場合に顔認証とパスワード認証がユーザに提示され、報処理装置の周囲が暗い場合にパスワード認証がユーザに提示されるため、使用できない認証がユーザに提供されなくなり、ユーザビリティが向上する。
【００５８】
なお、情報処理装置１の使用環境とは、情報処理装置１が暗い場所で使用されているかに限られず、情報処理装置１の周囲の光、音、電磁波等の様々な環境において適用することができる。使用する認証方法に応じて、該認証方法が使用できないと予測される環境に対して、少なくとも一つのパラメータを用い、パラメータの条件を設定することで使用環境パターン分けて規定することができる。このため、上述と同様の動作により、使用可能な認証手段を優先的にユーザに提供することができる。
【００５９】
また、第１実施形態及び第２実施形態は、上述の認証方法並びに使用状況及び使用環境に限られず、様々な認証方法並びに使用状況及び使用環境に適用され得る。そして、適宜変更または組み合わせが可能である。すなわち、使用状況と使用環境との組み合わせによって使用可能な認証方法を選定することとしてもよい。
【符号の説明】
【００６０】
１    ：情報処理装置
２    ：本体側筐体
３    ：支持筐体
４    ：表示部
５    ：入力部
６    ：カメラ
４１  ：ＣＰＵ
４２  ：メインメモリ
４３  ：記憶部
４４  ：通信部
４５  ：バス
５１  ：認証部
５２  ：検出部
５４  ：選定部
５５  ：決定部
５６  ：報知部
【図１】
2018190354.tif 000003
【図２】
2018190354.tif 000004
【図３】
2018190354.tif 000005
【図４】
2018190354.tif 000006
【図５】
2018190354.tif 000007
【図６】
2018190354.tif 000008
【図７】
2018190354.tif 000009
【図８】
2018190354.tif 000010
【図９】
2018190354.tif 000011